(57)【特許請求の範囲】
【請求項１】
補聴器使用者の一音源に関わる最小可聴値及び不快閾値を入力する可聴値データ入力手段と、
前記可聴値データ入力手段にて入力された最小可聴値から不快閾値までの聴野周波数帯域内の各周波数における利得を算出する利得算出手段と、
前記聴野周波数帯域内の周波数を選択し、この選択した周波数の利得を調整する利得調整手段と、
前記聴野周波数帯域内で試験用推奨特性を複数生成する試験用推奨特性生成手段と、
前記試験用推奨特性生成手段にて生成した複数の試験用推奨特性を複数提示する試験用推奨特性提示手段と、
前記試験用推奨特性提示手段にて複数提示された試験用推奨特性の内、最適な試験用推奨特性を選択する最適推奨特性選択手段と、
前記最適推奨特性選択手段にて選択された最適な試験用推奨特性に基づいて評価データを生成し、この評価データに基づいて、この最適な試験用推奨特性に近似した複数の試験用推奨特性を生成するように、前記試験用推奨特性生成手段を制御する提示制御手段とを有することを特徴とする補聴器調整装置。
【請求項２】
前記利得調整手段にて利得された周波数の利得及び、この利得調整された周波数以外の他の周波数の利得に基づいて、補聴器の推奨特性を生成する推奨特性生成手段を有することを特徴とする請求項１記載の補聴器調整装置。
【請求項３】
前記試験用推奨特性提示手段にて複数提示された試験用推奨特性の内、最適な試験用推奨特性を決定する最適推奨特性手段を有し、
前記提示制御手段は、
前記最適推奨特性決定手段にて最適な試験用推奨特性が決定されると、評価データを生成することなく、この決定された最適な試験用推奨特性を補聴器の推奨特性とするように、前記推奨特性生成手段を制御することを特徴とする請求項２記載の補聴器調整装置。
【請求項４】
前記推奨特性生成手段にて生成した音源毎の補聴器推奨特性を、各補聴器使用者毎に記憶する記憶手段と、
前記記憶手段に記憶中の補聴器使用者毎の補聴器推奨特性の内、最適な補聴器推奨特性を選択する最適特性選択手段と、
前記最適特性選択手段にて選択された最適な補聴器推奨特性を補聴器に伝送する通信手段とを有することを特徴とする請求項２又は３記載の補聴器調整装置。
【請求項５】
前記推奨特性生成手段にて生成した補聴器の推奨特性内の高周波領域又は低周波領域を指定する領域指定手段を有し、
前記利得調整手段は、
前記領域指定手段にて指定された高周波領域又は低周波領域の利得を所定レベル単位で自動調整することを特徴とする請求項２乃至４の何れか一に記載の補聴器調整装置。
【請求項６】
補聴器使用者の一音源に関わる最小可聴値及び不快閾値を入力する可聴値データ入力手段と、前記可聴値データ入力手段にて入力された最小可聴値から不快閾値までの聴野周波数帯域内の各周波数における利得を算出する利得算出手段と、前記聴野周波数帯域内の周波数を選択し、この選択した周波数の利得を調整する利得調整手段と、前記聴野周波数帯域内で試験用推奨特性を複数生成する試験用推奨特性生成手段と、前記試験用推奨特性手段にて生成した複数の試験用推奨特性を複数提示する試験用推奨特性提示手段と、前記試験用推奨特性提示手段にて複数提示された試験用推奨特性の内、最適な試験用推奨特性を選択する最適推奨特性選択手段と、前記最適推奨特性選択手段にて選択された最適な試験用推奨特性に基づいて評価データを生成し、この評価データに基づいて、この最適な試験用推奨特性に近似した複数の試験用推奨特性を生成するように、前記試験用推奨特性生成手段を制御する提示制御手段とを有する補聴器調整装置を備え、前記補聴器調整装置から伝送された前記補聴器の推奨特性に基づいて調整されることを特徴とする補聴器。
【請求項７】
前記補聴器調整装置は、前記利得調整手段にて利得調整された周波数の利得及び、この利得調整された周波数以外の他の周波数の利得に基づいて、補聴器の推奨特性を生成する推奨特性生成手段を有し、前記補聴器調整装置から伝送された前記補聴器の推奨特性に基づいて調整されることを特徴とする請求項６記載の補聴器。
【請求項８】
前記補聴器調整装置は、前記試験用推奨特性提示手段にて複数提示された試験用推奨特性の内、最適な試験用推奨特性を決定する最適推奨特性決定手段を有し、前記提示制御手段は、前記最適推奨特性決定手段にて最適な試験用推奨特性が決定されると、評価データを生成することなく、この決定された最適な試験用推奨特性を補聴器の推奨特性とするように、前記推奨特性生成手段を制御するものであり、前記補聴器調整装置から伝送された前記補聴器の推奨特性に基づいて調整されることを特徴とする請求項７記載の補聴器。
【請求項９】
前記補聴器調整装置は、前記推奨特性生成手段にて生成した音源毎の補聴器推奨特性を、各補聴器使用者毎に記憶する記憶手段と、前記記憶手段に記憶中の補聴器使用者毎の補聴器推奨特性の内、最適な補聴器推奨特性を選択する最適特性選択手段と、前記最適特性選択手段にて選択された最適な補聴器推奨特性を補聴器に伝送する通信手段とを有し、前記通信手段にて伝送された前記最適な補聴器推奨特性に基づいて調整されることを特徴とする請求項７又は８記載の補聴器。
【請求項１０】
前記補聴器調整装置は、前記推奨特性生成手段にて生成した補聴器の推奨特性内の高周波又は低周波領域を指定する領域指定手段を有し、前記利得調整手段は、前記領域指定手段にて指定された高周波又は低周波領域の利得を所定レベル単位で自動調整するものであり、前記補聴器調整装置から伝送された前記補聴器の推奨特性に基づいて調整されることを特徴とする請求項７乃至９の何れか一に記載の補聴器。
【発明の詳細な説明】
【０００１】
【発明の属する技術分野】
本発明は、補聴器を使用者にフィッティングさせるべく、補聴器内部の調整器を調整する補聴器調整装置及び、その補聴器に関する。
【０００２】
【従来の技術】
従来、このような補聴器調整装置としては、補聴器を使用者にフィッティングさせるべく、補聴器の販売者自らが調整操作を行うことで、補聴器内部の調整器を調整するようにしていた。
【０００３】
この際、補聴器の販売者は、補聴器を使用する使用者の聴力データから、その経験及び知識に基づき補聴器の推奨特性を推測し、この推奨特性に近づくように補聴器調整装置を操作することで補聴器内部の調整器を調整し、その補聴器使用者に補聴器をフィッティングさせるようにしていた。
【０００４】
従って、販売者は、補聴器使用者が、この補聴器の調整に満足行くまで、前記補聴器調整装置による補聴器の調整を繰り返し行っていた。
【０００５】
【発明が解決しようとする課題】
しかしながら、補聴器使用者の聴力データは個人差があるため、個々の補聴器使用者に適合した補聴器の推奨特性を得るためには、販売者の技量に依存するところが大きく、その販売者の技量によっては補聴器使用者に適合した推奨特性がなかなか得ることができない場合もある。
【０００６】
このように補聴器使用者に適合した補聴器の推奨特性が得られなければ、補聴器調整装置による補聴器の調整もなかなか収束せず、その調整精度も不安定となるといった問題点があった。
【０００７】
本発明は上記問題点に鑑みてなされたものであり、その目的とするところは、販売者の技量に依存することなく、個々の補聴器使用者に適合した補聴器の推奨特性を得ることができ、ひいては、その調整精度の安定化を図ることができる補聴器調整装置及び、その補聴器を提供することにある。
【０００８】
【課題を解決するための手段】
上記目的を達成するために本発明の補聴器調整装置は、補聴器使用者の一音源に関わる最小可聴値及び不快閾値を入力する可聴値データ入力手段と、前記可聴値データ入力手段にて入力された最小可聴値から不快閾値までの聴野周波数帯域内の各周波数における利得を算出する利得算出手段と、前記聴野周波数帯域内の周波数を選択し、この選択した周波数の利得を調整する利得調整手段と、前記聴野周波数帯域内で試験用推奨特性を複数生成する試験用推奨特性生成手段と、前記試験用推奨特性生成手段にて生成した複数の試験用推奨特性を複数提示する試験用推奨特性提示手段と、前記試験用推奨特性提示手段にて複数提示された試験用推奨特性の内、最適な試験用推奨特性を選択する最適推奨特性選択手段と、前記最適推奨特性選択手段にて選択された最適な試験用推奨特性に基づいて評価データを生成し、この評価データに基づいて、この最適な試験用推奨特性に近似した複数の試験用推奨特性を生成するように、前記試験用推奨特性生成手段を制御する提示制御手段とを有するものである。また、本発明の補聴器は、このような補聴器調整装置から伝送された前記補聴器の推奨特性に基づいて調整されるようにしたものである。
【０００９】
従って、本発明の補聴器調整装置によれば、補聴器使用者の聴野周波数帯域内で試験用推奨特性を複数提示し、これら試験用推奨特性の内から最適な試験用推奨特性を選択し、この選択された最適な試験用推奨特性に基づいて評価データを生成し、この評価データに基づいて、この最適な試験用推奨特性に近似した複数の試験用推奨特性を提示するようにしたので、個々の補聴器使用者の聴野周波数帯内における最適な補聴器推奨特性の絞り込み作業を自動化することで、販売者の技量に依存することなく、その作業性を良好にしながら、その調整精度の向上を図ることができる。また、このような補聴器調整装置にて調整された補聴器によれば、その使用者に対して、その使用者個人に適合した音質を提供することができる。
【００１０】
また、本発明の補聴器調整装置は、前記利得調整手段にて利得された周波数の利得及び、この利得調整された周波数以外の他の周波数の利得に基づいて、補聴器の推奨特性を生成する推奨特性生成手段を有するものである。また、本発明の補聴器は、このような補聴器調整装置から伝送された前記補聴器の推奨特性に基づいて調整されるようにしたものである。
【００１１】
従って、本発明の補聴器調整装置によれば、補聴器使用者の聴野周波数帯域内の各周波数を任意に選択して、その周波数の利得を調整可能とし、この調整した周波数の利得及び他の周波数の利得に基づいて、前記補聴器使用者に適合した補聴器の推奨特性を生成するようにしたので、販売者の技量に依存することなく、個々の補聴器使用者に適合した補聴器の推奨特性を得ることができ、ひいては、その調整精度の安定化を図ることができる。また、このような補聴器調整装置にて調整された補聴器によれば、その使用者に対して、その使用者個人に適合した音質を提供することができる。
【００１２】
また、本発明の補聴器調整装置は、前記試験用推奨特性提示手段にて複数提示された試験用推奨特性の内、最適な試験用推奨特性を決定する最適推奨特性手段を有し、前記提示制御手段が、前記最適推奨特性決定手段にて最適な試験用推奨特性が決定されると、評価データを生成することなく、この決定された最適な試験用推奨特性を補聴器の推奨特性とするように、前記推奨特性生成手段を制御するようにしたものである。また、本発明の補聴器は、このような補聴器調整装置から伝送された前記補聴器の推奨特性に基づいて調整されるようにしたものである。
【００１３】
従って、本発明の補聴器調整装置によれば、複数提示された試験用推奨特性の内から最適な試験用推奨特性が決定されると、この最適な試験用推奨特性を補聴器の推奨特性とするようにしたので、最適推奨特性決定手段による決定操作に応じて最適な補聴器の推奨特性を得ることができる。また、このような補聴器調整装置にて調整された補聴器によれば、その使用者に対して、その使用者個人に適合した音質を提供することができる。
【００１４】
また、本発明の補聴器調整装置は、前記推奨特性生成手段にて生成した音源毎の補聴器推奨特性を、各補聴器使用者毎に記憶する記憶手段と、前記記憶手段に記憶中の補聴器使用者毎の補聴器推奨特性の内、最適な補聴器推奨特性を選択する最適特性選択手段と、前記最適特性選択手段にて選択された最適な補聴器推奨特性を補聴器に伝送する通信手段とを有するものである。また、本発明の補聴器は、このような補聴器調整装置から伝送された前記補聴器の推奨特性に基づいて調整されるようにしたものである。
【００１５】
従って、本発明の補聴器調整装置によれば、補聴器使用者毎に、例えば環境が異なる音源の推奨特性を複数記憶しておき、この記憶中の推奨特性から最適な補聴器推奨特性を選択可能としたので、補聴器使用者はバリエーションに富んだ補聴器推奨特性を選択することができる。また、このような補聴器調整装置にて調整された補聴器によれば、その使用者に対して、その使用者個人に適合した音質を提供することができる。
【００１６】
また、本発明の補聴器調整装置は、前記推奨特性生成手段にて生成した補聴器の推奨特性内の高周波領域又は低周波領域を指定する領域指定手段を有し、前記利得調整手段が、前記領域指定手段にて指定された高周波領域又は低周波領域の利得を所定レベル単位で自動調整するものである。また、本発明の補聴器は、このような補聴器調整装置から伝送された前記補聴器の推奨特性に基づいて調整されるようにしたものである。
【００１７】
従って、本発明の補聴器調整装置によれば、前記推奨特性生成手段にて生成した補聴器の推奨特性内の高周波領域又は低周波領域を指定し、指定された高周波領域又は低周波領域の利得を所定レベル単位で自動調整するようにしたので、推奨特性内の高周波領域又は低周波領域の利得調整といった、推奨特性の微調整を簡単に行うことができる。また、このような補聴器調整装置にて調整された補聴器によれば、その使用者に対して、その使用者個人に適合した音質を提供することができる。
【００１８】
【発明の実施の形態】
以下、図面に基づいて本発明の補聴器調整装置に関わる実施の形態を示す補聴器調整システムについて説明する。図１は本実施の形態に示す補聴器調整システム内部の概略構成を示すブロック図である。
【００１９】
図１に示す補聴器調整システム１は、評価音を出力する音源２と、補聴器使用者３の耳に装着した補聴器１０と、この補聴器１０を調整する補聴器調整装置２０とを有している。
【００２０】
補聴器１０は、音源２からの評価音を入力する音入力部１１と、この音入力部１１にて入力された評価音を増幅する増幅部１２と、この増幅部１２にて増幅された評価音を音出力する音出力部１３と、この補聴器１０全体の制御を司る制御部１４とを有している。
【００２１】
補聴器調整装置２０は、様々なデータを入力するデータ入力部２１と、このデータ入力部２１にて入力された様々なデータに基づいて、補聴器１０を制御するための演算処理を施す演算部２２と、様々な情報を画面表示する表示部２３と、演算部２２にて演算処理が施された演算データを補聴器１０の制御部１４に伝送する通信部２４とを有している。
【００２２】
補聴器１０及び補聴器調整装置２０間のデータ伝送は、補聴器調整装置２０の通信部２４から補聴器１０の制御部１４への無線通信で行うようにしたが、通信ケーブルを介して有線で行うようにしても良い。
【００２３】
次に補聴器調整装置２０内部の概略構成について説明する。図２は後述する通常モード時に使用される補聴器調整装置２０内部の概略構成を示すブロック図、図３は後述するランダムモード時に使用される補聴器調整装置２０内部の概略構成を示すブロック図である。
【００２４】
補聴器調整装置２０の通常モードとは、補聴器使用者３側による聴野周波数帯域内の任意周波数を選択し、この任意周波数を利得調整することで、この利得調整された周波数の利得に基づいて補聴器１０の推奨特性を生成するモードである。
【００２５】
これに対して、補聴器調整装置２０のランダムモードとは、聴野周波数帯域内の周波数毎の試験利得をランダムに設定し、各試験利得に対応した試験用推奨特性を複数提示し、これら複数の試験用推奨特性の内から最適な試験用推奨特性を選択することで、最適な補聴器１０の推奨特性を段階的に絞り込むモードである。
【００２６】
図２に示すように通常モードに使用される補聴器調整装置２０は、補聴器使用者３の一音源２に関わる最小可聴値及び不快閾値を入力する可聴値データ入力手段３１と、可聴値データ入力手段３１にて入力された最小可聴値から不快閾値までの聴野周波数帯域内の各周波数における利得を算出する利得算出手段３２と、聴野周波数帯域内の周波数を選択し、この選択した周波数の利得を調整する利得調整手段３３と、利得調整手段３３にて利得調整された周波数の利得及び、この利得調整された周波数以外の他の周波数の利得に基づいて、補聴器１０の推奨特性を生成する推奨特性生成手段３４と、推奨特性生成手段３４にて生成した補聴器１０の推奨特性内の高周波領域又は低周波領域を指定する領域指定手段３５と、推奨特性生成手段３４にて生成した音源２毎の補聴器推奨特性を、各補聴器使用者毎に記憶する記憶手段３６と、記憶手段３６に記憶中の補聴器使用者３毎の補聴器推奨特性の内、最適な補聴器１０の推奨特性を選択する最適特性選択手段３７と、最適特性選択手段３７にて選択された最適な補聴器推奨特性を補聴器１０に伝送する通信手段３８とを有している。
【００２７】
また、利得調整手段３３は、領域指定手段３５にて指定された高周波領域又は低周波領域の利得を所定レベル単位で自動調整するものである。
【００２８】
尚、可聴値データ入力手段３１、領域指定手段３５及び最適特性選択手段３７は、データ入力部２１内に備えられたものであり、利得算出手段３２、利得調整手段３３、推奨特性生成手段３４及び記憶手段３６は、演算部２２内に備えられたものである。また、通信手段３８は、通信部２４に相当するものである。
【００２９】
図３に示すようにランダムモード時に使用される補聴器調整装置２０は、可聴値データ入力手段３１にて入力された聴野周波数帯域内の各周波数における利得を利得算出手段３２にて算出し、利得調整手段３３を通じて聴野周波数帯域内で試験用推奨特性を複数生成する試験用推奨特性生成手段３９と、試験用推奨特性生成手段３９にて生成した複数の試験用推奨特性を複数提示する試験用推奨特性提示手段４０と、試験用推奨特性提示手段４０にて複数提示された試験用推奨特性の内、最適な試験用推奨特性を選択する最適推奨特性選択手段４１と、最適推奨特性選択手段４１にて選択された最適な試験用推奨特性に基づいて評価データを生成し、この評価データに基づいて、この最適な試験用推奨特性に近似した複数の試験用推奨特性を試験用推奨特性生成手段３９が生成するように、利得調整手段３３を制御する提示制御手段４２と、試験用推奨特性提示手段４０にて複数提示された試験用推奨特性の内、最適な試験用推奨特性を決定する最適推奨特性決定手段４３とを有している。
【００３０】
提示制御手段４２は、最適推奨特性決定手段４３にて最適な試験用推奨特性が決定されると、評価データを生成することなく、この決定された最適な試験用推奨特性を補聴器１０の推奨特性とするように、推奨特性生成手段３４及び利得調整手段３３を制御するようにした。
【００３１】
尚、試験用推奨生成手段３９及び提示制御手段４２は、演算部２２内に備えられ、試験用推奨特性提示手段４０は、通信部２４内に備えられ、最適推奨特性選択手段４１及び最適推奨特性決定手段４３は、データ入力部２１内に備えられたものである。
【００３２】
次に本実施の形態に示す補聴器調整システム１の動作を通常モード及びランダムモードに分けて説明する。
【００３３】
では、通常モード使用時に関わる補聴器調整装置２０の動作について説明する。
【００３４】
図２に示すように通常モードにおいて、補聴器使用者３は、可聴値データ入力手段３１にて一音源２に関わる最小可聴値及び不快閾値を聴力データとして入力する。尚、不快閾値は、補聴器使用者３にとって耳障りな音となるおそれがあるため、不快閾値が入力されない場合には、入力された最小可聴値に基づいて不快閾値が仮設定されるものとする。
【００３５】
利得算出手段３２は、可聴値データ入力手段３１にて入力された最小可聴値から不快閾値までの聴野周波数帯域内の各周波数における利得を算出する。
【００３６】
さらに、補聴器使用者３は、データ入力部２１を通じて、聴野周波数帯域内の周波数を任意に選択することで、利得調整手段３３を通じて、この選択した周波数の利得を調整することができる。
【００３７】
推奨特性生成手段３４は、利得調整手段３３にて利得調整された周波数の利得及び、この利得調整された周波数以外の他の周波数の利得に基づいて、補聴器１０の推奨特性を生成する。
【００３８】
このように推奨特性生成手段３４にて生成された補聴器１０の推奨特性は、記憶手段３６に記憶され、この記憶手段３６に記憶された補聴器１０の推奨特性を、通信手段３８を通じて補聴器１０に伝送する。
【００３９】
そして、補聴器１０の制御部１４は、通信手段３８を通じて補聴器１０の推奨特性に基づいて補聴器特性を制御することになる。
【００４０】
このように通常モードにおいて、補聴器使用者３の聴野周波数帯域内の各周波数を任意に選択して、その周波数の利得を調整可能とし、この調整した周波数の利得及び他の周波数の利得に基づいて、補聴器使用者３に適合した補聴器１０の推奨特性を生成するようにしたので、販売者の技量に依存することなく、個々の補聴器使用者３に適合した補聴器１０の推奨特性を得ることができ、ひいては、その調整精度の安定化を図ることができる。
【００４１】
さらに、補聴器使用者３は、この推奨特性生成手段３４にて生成された補聴器１０の推奨特性内の高周波領域又は低周波領域の利得に微調整を加える場合、領域指定手段３５を通じて高周波領域又は低周波領域を指定する。
【００４２】
利得調整手段３３は、領域指定手段３５による指定に応じて、指定された高周波領域又は低周波領域の利得を所定レベル単位で自動調整する。
【００４３】
推奨特性生成手段３４は、利得調整手段３３にて自動調整された利得に基づいて、補聴器１０の推奨特性を生成する。
【００４４】
このように推奨特性生成手段３４にて生成された補聴器１０の推奨特性は、記憶手段３６に記憶され、この記憶手段３６に記憶された補聴器１０の推奨特性を、通信手段３８を通じて補聴器１０に伝送する。
【００４５】
そして、補聴器１０の制御部１４は、通信手段３８を通じて伝送された補聴器１０の推奨特性に基づいて補聴器特性を制御することになる。
【００４６】
このように推奨特性生成手段３４にて生成した補聴器１０の推奨特性内の高周波領域又は低周波領域を指定し、指定された高周波領域又は低周波領域の利得を所定レベル単位で自動調整するようにしたので、推奨特性内の高周波領域又は低周波領域の利得調整といった、推奨特性の微調整を簡単に行うことができる。
【００４７】
次にランダムモード使用時に関わる補聴器調整装置２０の動作について説明する。図４はランダムモード使用時における補聴器調整システムの処理動作を示すフロー図である。
【００４８】
補聴器調整装置２０は、図４に示すように可聴値データ入力手段３１にて補聴器使用者３の一音源２に関わる最小可聴値及び不快閾値を入力する（ステップＳ１１）。尚、不快閾値は、補聴器使用者３にとって耳障りな音であるため、不快閾値が入力されないこともある。このため、不快閾値が入力されない場合には、入力された最小可聴値に基づいて不快閾値を仮設定するようにした。
【００４９】
利得算出手段３２は、可聴値データ入力手段３１にて入力された最小可聴値から不快閾値までの聴野周波数帯域内の各周波数の利得範囲を算出する（ステップＳ１２）。
【００５０】
提示制御手段４１は、算出された各周波数の利得範囲でランダムな試験利得をｎ個設定し、各試験利得に基づいて利得調整手段３３で利得調整を施すことで、試験用推奨特性生成手段３９は、この補聴器使用者３の聴野周波数帯域内でｎ個の試験用推奨特性を生成する（ステップＳ１３）。
【００５１】
尚、このランダムな試験利得を設定する方法としては、例えば本出願人が特開平９−５４７６５号公報で開示しているように、人間の感性や主観的価値観でしか評価できない問題に対して、対話型遺伝的アルゴリズムを適用することで、最適と思われる機器の調整を効率良く行うことを実現した最適化調整方法及び最適化調整装置があげられる。
【００５２】
試験用推奨特性提示手段４０は、ｎ個の試験用推奨特性を提示すべく、各試験用推奨特性を補聴器１０に通信伝送する（ステップＳ１４）。
【００５３】
補聴器１０を装着した使用者３は、各試験用推奨特性で音源２からの評価音を受聴し（ステップＳ１５）、各試験用推奨特性で評価音を評価する（ステップＳ１６）。尚、ステップＳ１６の評価方法としては、補聴器１０の使用者３がｎ個の試験用推奨特性から最適な試験用推奨特性を最適推奨特性選択手段４１で選択することで、その結果内容を補聴器調整装置２０側に通知するものである。
【００５４】
提示制御手段４２は、最適推奨特性選択手段４１にて選択された最適な試験用推奨特性に基づく評価データを生成し、この評価データに基づいて、この最適な試験用推奨特性に近似したｍ個の試験用推奨特性をランダムに提供すべく、ステップＳ１３の処理動作と同様の方法を使用することで、ｍ個の試験利得を設定し、各試験利得に基づいて利得調整手段３３で利得調整を施すことで、試験用推奨特性生成手段３９は、ｍ個の試験用推奨特性を生成する。そして、試験用推奨特性提示手段４０は、ｍ個の試験用推奨特性を提示すべく、各試験用推奨特性を補聴器１０に通信伝送する（ステップＳ１７）。
【００５５】
補聴器１０を装着した使用者３は、各試験用推奨特性で音源２からの評価音を受聴し、各試験用推奨特性で評価音を評価する（ステップＳ１８）。
【００５６】
この際、補聴器調整装置２０は、補聴器１０の使用者３による最適推奨特性決定手段４３又は最適推奨特性選択手段４１のいずれかの操作があったかを判定する（ステップＳ１９）。
【００５７】
最適推奨特性決定手段４３の決定操作があったのであれば、補聴器使用者３が、これらｍ個の試験用推奨特性内から満足のいく最適な試験用推奨特性を得ることができたものと判断し、この最適推奨特性決定手段４３にて決定した最適な試験用推奨特性を補聴器１０の推奨特性として記憶手段３６に記憶するものとし、当該処理動作を終了する。尚、記憶手段３６に記憶された補聴器１０の推奨特性は、最適特性選択手段３７にて選択されることで、補聴器１０に伝送されるものである。
【００５８】
また、ステップＳ１９にて最適推奨特性選択手段４１の選択操作があったのであれば、補聴器使用者３は、さらなる最適な試験用推奨特性の絞り込み作業を継続するものと判断し、この最適推奨特性選択手段４１にて選択した最適な試験用推奨特性に近似した試験用推奨特性を複数提示させるべく、ステップＳ１７に移行する。
【００５９】
このようなランダムモードによれば、補聴器使用者３の聴野周波数帯域内で試験用推奨特性を複数提示し、これら試験用推奨特性の内から最適な試験用推奨特性を選択し、この選択された最適な試験用推奨特性に基づいて評価データを生成し、この評価データに基づいて、この最適な試験用推奨特性に近似した複数の試験用推奨特性を提示するようにしたので、個々の補聴器使用者３の聴野周波数帯内における最適な補聴器推奨特性の絞り込み作業を自動化することで、販売者の技量に依存することなく、その作業性を良好にしながら、その調整精度の向上を図ることができる。
【００６０】
さらに、複数提示された試験用推奨特性の内から最適な試験用推奨特性が決定されると、この最適な試験用推奨特性を補聴器１０の推奨特性とするようにしたので、最適推奨特性決定手段４３による決定操作に応じて最適な補聴器１０の推奨特性を得ることができる。
【００６１】
また、この補聴器調整装置２０は、前述したように、推奨特性生成手段３４にて生成した音源２毎の補聴器推奨特性を、各補聴器使用者３毎に記憶する記憶手段３６と、記憶手段３６に記憶中の補聴器使用者３毎の補聴器推奨特性の内、最適な補聴器推奨特性を選択する最適特性選択手段３７と、最適特性選択手段３７にて選択された最適な補聴器推奨特性を補聴器１０に伝送する通信手段３８とを有している。
【００６２】
従って、このような補聴器調整装置２０によれば、補聴器使用者３毎に、例えば環境が異なる音源２の推奨特性を複数記憶しておき、この記憶中の推奨特性から最適な補聴器推奨特性を選択可能としたので、補聴器使用者３はバリエーションに富んだ補聴器推奨特性を選択することができる。
【００６３】
さらに、このような補聴器調整装置２０にて調整された補聴器１０によれば、その使用者に対して、その使用者個人に適合した音質を提供することができる。
【００６４】
【発明の効果】
上記のように構成された本発明の補聴器調整装置によれば、補聴器使用者の聴野周波数帯域内の各周波数を任意に選択して、その周波数の利得を調整可能とし、この調整した周波数の利得及び他の周波数の利得に基づいて、前記補聴器使用者に適合した補聴器の推奨特性を生成するようにしたので、販売者の技量に依存することなく、個々の補聴器使用者に適合した補聴器の推奨特性を得ることができ、ひいては、その調整精度の安定化を図ることができる。
【００６５】
また、このような補聴器調整装置にて調整された補聴器によれば、その使用者に対して、その使用者個人に適合した音質を提供することができる。
【図面の簡単な説明】
【図１】本発明の実施の形態に示す補聴器調整システム内部の概略構成を示すブロック図
【図２】本実施の形態に示す補聴器調整システム内部の補聴器調整装置内部の通常モード使用時に要する概略構成を示すブロック図
【図３】本実施の形態に示す補聴器調整システム内部の補聴器調整装置内部のランダムモード使用時に要する概略構成を示すブロック図
【図４】本実施の形態に示す補聴器調整システムのランダムモードに関わる処理動作を示すフロー図
【符号の説明】
２  音源
３  補聴器使用者
１０  補聴器
２０  補聴器調整装置
２１  データ入力部
２２  演算部
２４  通信部
３１  可聴値データ入力手段
３２  利得算出手段
３３  利得調整手段
３４  推奨特性生成手段
３５  領域指定手段
３６  記憶手段
３７  最適特性選択手段
３８  通信手段
３９  試験用推奨特性生成手段
４０  試験用推奨特性提示手段
４１  最適推奨特性選択手段
４２  提示制御手段
４３  最適推奨特性決定手段
【図１】
0003894695.tif 000002
【図２】
0003894695.tif 000003
【図３】
0003894695.tif 000004
【図４】
0003894695.tif 000005